(57)【要約】【課題】  比較的力が弱いユーザーであっても、複数枚の感圧紙に印影を転写することができる押印装置およびその使用方法を提供することを目的とする。【解決手段】  本発明の押印装置は、前部と後部との空洞部に、前部または後部が押し込まれた力を蓄える少なくとも１つの弾性部を備えている。その弾性部に蓄えられたエネルギーが解放されることにより、前部の壁部または前部の先端に設けられた印部が感圧紙と接触し、前部の壁部または印部に彫られたものを感圧紙に転写することができる。【選択図】図１
2013215907.tif 000002
【特許請求の範囲】
【請求項１】
前部と後部とを備えた押印装置であって、
前記前部が、空洞部を有し、
前記後部が、空洞部を有し、
前記前部が前記後部の前記空洞部を摺動し、
前記前部は、その先端に彫り込み部を有し、
前記前部と前記後部との前記空洞部に、前記前部が前記後部に押し込まれた力を蓄える少なくとも１つの弾性部を備えた、押印装置。
【請求項２】
前部と後部とを備えた押印装置であって、
前記前部が、空洞部を有し、
前記後部が、空洞部を有し、
前記後部が前記前部の前記空洞部を摺動し、
前記前部は、その先端に彫り込み部を有し、
前記前部と前記後部との前記空洞部に、前記前部が前記後部に押し込まれた力を蓄える少なくとも１つの弾性部を備えた、押印装置。
【請求項３】
請求項１または２に記載の押印装置を用意する工程と、
２枚以上重ねられた感圧紙を用意する工程と、
前記押印装置の前記弾性部に力を蓄えるために、前記前部を前記彫り込み部がある方向とは反対の方向に押し込む工程と、
前記感圧紙に対して、前記彫り込み部が接触するように、前記弾性部に保存された力を解放する工程とを包含する、押印方法。
【請求項４】
前記弾性部に保存された力が解放されるのを妨げる維持部をさらに備えた、請求項１または２に記載の押印装置。
【請求項５】
前記押印装置が、前記弾性部に保存された力が解放されるのを妨げる維持部をさらに備え、
前記弾性部に保存された力を解放する工程が、前記維持部を操作することにより行われる請求項３に記載の押印方法。
【請求項６】
前記前部がその外側に突起部を有し、
前記後部の前記空洞部に突起部を有し、
前記前部が、前記後部から離れる方向に摺動した場合、前記前部の突起部と前記後部の突起部がぶつかり、前記前部が前記後部から離れない、請求項１に記載の押印装置。
【請求項７】
前記前部の前記空洞部に突起部を有し、
前記後部がその外側に突起部を有し、
前記後部が、前記前部から離れる方向に摺動した場合、前記前部の突起部と前記後部の突起部がぶつかり、前記後部が前記前部から離れない、請求項２に記載の押印装置。
【請求項８】
前記押印装置をつかむための取手部をさらに備えている、請求項１、２、４、６および７の１つに記載の押印装置。
【発明の詳細な説明】
【技術分野】
【０００１】
本発明は、感圧紙に印影を印字することができる押印装置およびその使用方法に関する。
【背景技術】
【０００２】
従来、領収書などは、実際にボールペンなどで書き込む上紙と、その下にある下紙との間にカーボン紙を挟み込むことにより、上紙の文字が下紙に転写されていた。
【０００３】
近年では、発色剤をマイクロカプセルに閉じこめ、それを下紙と対向する上紙の面に塗布し、上紙に対向する下紙の面に顕色剤を塗布した感圧紙が使用されるようになってきた（特許文献１を参照）。このような感圧紙では、ボールペンで上紙に書かれた文字だけでなく、上紙になされた押印も下紙に転写されやすくなった。
【先行技術文献】
【特許文献】
【０００４】
【特許文献１】“ＯＣＲ上用紙（Ａ紙）”、［平成２４年３月１０日検索］、インターネット＜URL:http://fujifilm.jp/business/printing/paper/kanatsu/ocr/index.html＞
【発明の概要】
【発明が解決しようとする課題】
【０００５】
しかし、ユーザーが印鑑を複数枚重ねられた感圧紙に押しつけた場合、その枚数が多くなると綺麗に印影を感圧紙に印字することができないという問題があった。
【０００６】
本発明は、上記問題に鑑みてなされたものであり、比較的力が弱いユーザーであっても、複数枚の感圧紙に印影を転写することができる押印装置およびその使用方法を提供する。
【課題を解決するための手段】
【０００７】
本発明に係る押印装置は、前部と後部とを備えた押印装置であって、前記前部が、空洞部を有し、前記後部が、空洞部を有し、前記前部が前記後部の前記空洞部を摺動し、前記前部は、その先端に彫り込み部を有し、前記前部と前記後部との前記空洞部に、前記前部が前記後部に押し込まれた力を蓄える少なくとも１つの弾性部を備えている。
【０００８】
本発明に係る別の押印装置は、前部と後部とを備えた押印装置であって、前記前部が、空洞部を有し、前記後部が、空洞部を有し、前記後部が前記前部の前記空洞部を摺動し、前記前部は、その先端に彫り込み部を有し、前記前部と前記後部との前記空洞部に、前記前部が前記後部に押し込まれた力を蓄える少なくとも１つの弾性部を備えている。
【０００９】
本発明のある実施形態では、前記押印装置または前記別の押印装置を用意する工程と、２枚以上重ねられた感圧紙を用意する工程と、前記押印装置の前記弾性部に力を蓄えるために、前記前部を前記彫り込み部がある方向とは反対の方向に押し込む工程と、前記感圧紙に対して、前記彫り込み部が接触するように、前記弾性部に保存された力を解放する工程とを包含する。
【００１０】
本発明のある実施形態では、前記弾性部に保存された力が解放されるのを妨げる維持部をさらに備えている。
【００１１】
本発明のある実施形態では、前記押印装置または前記別の押印装置が、前記弾性部に保存された力が解放されるのを妨げる維持部をさらに備え、前記弾性部に保存された力を解放する工程が、前記維持部を操作することにより行われる。
【００１２】
本発明のある実施形態では、前記前部がその外側に突起部を有し、前記後部の前記空洞部に突起部を有し、前記前部が、前記後部から離れる方向に摺動した場合、前記前部の突起部と前記後部の突起部がぶつかり、前記前部が前記後部から離れない。
【００１３】
本発明のある実施形態では、前記前部の前記空洞部に突起部を有し、前記後部がその外側に突起部を有し、前記後部が、前記前部から離れる方向に摺動した場合、前記前部の突起部と前記後部の突起部がぶつかり、前記後部が前記前部から離れない。
【００１４】
本発明のある実施形態では、ユーザーが前記押印装置をつかむための、取手部をさらに備えている。
【発明の効果】
【００１５】
フックの法則より、力Ｆは、Ｆ＝ｋｘ（ここで、ｋはバネ定数であり、ｘはバネの自然長からの縮みである）となる。強い力を得るためには、ｋまたはｘの値を大きくする必要がある。しかし、比較的力の弱いユーザーが押印装置を使用する場合、ｋをあまりに大きくしたのでは、弾性部を圧縮するのに、大きな力を必要とし、妥当でない。そこで、本発明に係る押印装置では、前部と後部との空洞部に配置された弾性部に、前部または後部が後部または前部に押し込まれたエネルギーが蓄えられる。このため、ｘを大きく取ることが可能となる。前部と後部との空洞部に配置された弾性部に蓄えられたエネルギーが解放されることにより、前部の壁部または前部の先端に設けられた印部が感圧紙と接触し、前部の壁部または印部に彫られたものを感圧紙に転写することができる。
【図面の簡単な説明】
【００１６】
【図１】本発明の一実施形態における第１の押印装置の断面図である。
【図２】（ａ）および（ｂ）は、本発明の一実施形態における第２の押印装置の断面図である。
【図３】本発明の一実施形態における第３の押印装置の断面図である。
【図４】本発明の一実施形態における第４の押印装置の断面図である。
【発明を実施するための最良の形態】
【００１７】
以下に、図面を参照しながら本発明の一実施形態における押印装置について説明する。
【００１８】
図１は、本発明の一実施形態における第１の押印装置１の断面図である。
【００１９】
第１の押印装置１は、前部１０と、前部１０が挿入され、それを内部で摺動させることができる後部２０と、前部１０が後部２０に押し込まれた力を蓄える弾性部３０とを備えている。
【００２０】
前部１０の形状は筒状であり、一方には開口部１１が配置され、他方には壁部１２が配置されている。前部１０は、後述する突起部１３を有している。さらに、壁部１２の外部に印部１４が設けられている。朱肉などが付けられた印部１４が紙に押しつけられたときに、文字や記号などが転写されるように、印部１４は彫り込まれている。印部１４の材料は、金属であってもよいし、樹脂であってもよい。
【００２１】
後部２０の形状は筒状であり、一方には開口部２１が配置され、他方には壁部２２が配置されている。
【００２２】
後部２０は、その内部で前部１０を摺動させるが、前部１０が、後部２０から飛び出さないように、その内側に突起部２３を有している。弾性部３０に蓄えられていたエネルギーが解放され、前部１０が後部２０の開口部２１から突出する際、後部２０の突起部２３が前部１０の突起部１３とがぶつかり、前部１０の全体が、後部２０の開口部２１から飛びだすことがない。
【００２３】
後部２０は、突起部２４を有していてもよい。後部２０が突起部２４を有することにより、前部１０が後部２０に押し込まれた場合、前部１０の全体が、後部２０に入り込むことを防止することができる。また、後部２０が突起部２４を有することにより、前部１０および後部２０の長手方向の長さや、弾性部３０の設計自由度が向上する。ここで長手方向とは、前部１０が摺動する方向である。
【００２４】
弾性部３０は、前部１０の空洞部１５と後部２０の空洞部２５との間に配置されている。本実施形態では、弾性部３０として、バネが使用されている。弾性部３０の一方は、前部１０の開口部１１とは反対側の壁部１２と当接し、弾性部３０の他端は、後部２０の壁部２２と当接している。前部１０が後部２０に押し込まれると、弾性部３０が縮み、弾性エネルギーがそこに蓄積され、それが解放されることにより、印部１４が感圧紙に圧力を加え、発色剤が詰め込まれたマイクロカプセルが塗布された紙のマイクロカプセルが破壊される。その後、マイクロカプセルが塗布された紙と向かい合う面に顕色剤が塗布された紙に、発色剤が付着することにより、印部１４は、文字などを顕色剤が塗布された紙に転写することができる。
【００２５】
また、第１の押印装置１は、取手部４０を備えていてもよい。例えば、後部２０が円筒状の金属であり、その表面に何ら滑り止めが設けられていない場合、ユーザーが第１の押印装置１を保持することは容易ではないが、第１の押印装置が取手部４０を備えていれば、ユーザーは第１の押印装置をしっかり保持することができる。
【００２６】
上述した実施形態では、前部および後部の形状ならびに後部の内部の形状は、円筒状であったが、本発明では、前部が後部の内部を摺動すれば、前部および後部の形状ならびに後部の内部の形状が円筒状以外であってもよい。例えば、本実施形態において、前部１０が四角柱状であり、後部２０の空洞部２５が四角柱状であってもよい。また、後部２０の空洞部２５が円筒状であり、前部１０が空洞部２５に接する、例えば六角柱状のような多角柱状であってもよい。
【００２７】
図２は、本発明の一実施形態における第２の押印装置１００の断面図であり、（ａ）は、押印した後の押印装置１００の状態を表し、（ｂ）は、押印する直前の押印装置１００の状態を表している。
【００２８】
第２の押印装置１００は、前部１１０と、前部１１０に挿入され、その内部を摺動する後部１２０と、後部１２０が前部１１０に押し込まれた力を蓄える第１および第２弾性部１３０、１３１とを備えている。
【００２９】
前部１１０の形状は筒状であり、その一方には開口部１１１が配置され、その他方には壁部１１２が配置されている。第１の押印装置１では、壁部の外側に印部が設けられていたが、本実施形態では、壁部１１２が、印部の役割を果たしている。つまり、朱肉などが付けられた壁部１１２が紙に押しつけられたときに、文字や記号などが転写されるように、壁部１１２は彫り込まれている。壁部１１２の材料は、金属であってもよいし、樹脂であってもよい。なお、本実施形態においても、第１の押印装置１と同様に、壁部１１２の外部に印部が設けられてもよい。また、前部１１０は、後述する突起部１１３を有している。
【００３０】
後部１２０の形状は筒状であり、その一方には開口部１２１が配置され、その他方には壁部１２２が配置されている。
【００３１】
後部１２０は、前部１１０の内部を摺動することができるが、後部１２０が、前部１１０から飛び出さないように、その内側に突起部１２３を有している。
【００３２】
第１および第２弾性部１３０、１３１に蓄えられていたエネルギーが解放され、後部１２０が前部１１０の開口部１１１から突出する際、後部１２０の突起部１２３が前部１１０の突起部１１３とがぶつかり、後部１２０が、前部１１０から飛びだすことがない。
【００３３】
第１および第２弾性部１３０、１３１は、前部１１０の空洞部１１５と後部１２０の空洞部１２５との間に配置されている。本実施形態では、第１および第２弾性部１３０、１３１として、バネが使用されている。第１弾性部１３０の一方は、後部１２０の開口部１２１とは反対側の壁部１２２と当接し、第１弾性部１３０の他端は、ジョイント部１４０の一方の面に当接している。また、第２弾性部１３１の一方は、ジョイント部１４０の他方の面に当接し、第１弾性部１３１の他端は、調整部１５０の頭部１５１と当接している。本実施形態では、第１および第２弾性部１３０、１３１が使用されるため、線径ｄ、コイル中心径Ｄ、有効巻数Ｎ、および横弾性係数Ｇの少なくとも１つを変更することにより、それぞれ異なるバネ定数ｋが得られ、壁部１１２が紙にぶつかる、速度や加速度などを微妙に調整することができる。なお、ｋ＝Ｇｄ４／８ＮＤ３となる。
【００３４】
ここで、ジョイント部１４０の両端が第１および第２弾性部１３０、１３１を受け止めているため、第１および第２弾性部１３０、１３１のコイル中心経を同じにする必要がない。このため、ジョイント部がないものに比べて、第１および第２弾性部１３０、１３１のコイル中心径を自由に選択することができる。また、調整部１５０の円柱部１５２には、第２弾性部１３１の少なくとも一部が通されている。これにより、第２弾性部１３１として、第１弾性部１３０のコイル中心径より小さい、コイル中心径のバネを使用することができる。また、ジョイント部１４０の長さや調整部１５０の円柱部１５２の長さを調整することにより、第１および第２弾性部１３０、１３１に蓄えられるエネルギー量を調整することができる。ここで、ジョイント部１４０の長さ、円柱部１５２の長さとは、前部１１０が摺動する方向の長さである。
【００３５】
後部１２０が前部１１０に押し込まれると、第１および第２弾性部１３０、１３１が縮み、弾性エネルギーがそこに蓄積され、それが解放されることにより、壁部１１２が感圧紙に圧力を加え、上述したように、文字などを顕色剤が塗布された紙に転写することができる。
【００３６】
また、本実施形態は、第１の押印装置１と同様の理由により、取手部４０を備えていてもよい。
【００３７】
上述した実施形態では、前部および後部の形状ならびに前部の内部の形状は、円筒状であったが、本発明では、後部が前部の内部を摺動すれば、前部および後部の形状ならびに前部の内部の形状が円筒状以外であってもよい。例えば、本実施形態において、前部１１０の空洞部１１５が四角柱状であり、後部１２０が四角柱状であってもよい。また、前部１１０の空洞部１１５が円筒状であり、後部１２０が空洞部１１５に接する、例えば六角柱状のような多角柱状であってもよい。
【００３８】
図３は、本発明の一実施形態における第３の押印装置２００の断面図である。第３の押印装置２００は、第２の押印装置１００にストッパー２６０をさらに備えたものである。本実施形態は、ストッパー２６０を備えているため、押印装置２００に蓄えられるエネルギー量を一定にすることができる。このため、押印装置２００と感圧紙との距離が一定であれば、感圧紙に与える力が等しくなり、転写された文字の濃淡も一定にすることができる。
【００３９】
ストッパー２６０は、前部１１０に設けられた穴部２６１と、それに契合する鈎部２６２と、穴部２６１と鈎部２６２との契合状態を解除する押部２６３と、後部１２０に取り付けられ、鈎部２６２を支持する支持部２６４とを有している。
【００４０】
後部１２０が前部１１０に押し込まれると、所定の位置で穴部２６１と鈎部２６２が契合し、前部１１０と後部１２０との位置が固定され、第１および第２弾性部に一定量のエネルギーが保持される。
【００４１】
次に、押部２６３が押されると、穴部２６１と鈎部２６２との契合状態が解かれ、第１および第２弾性部に蓄えられていたエネルギーが解放され、壁部１１２が感圧紙に押しつけられ、壁部１１２に彫られた文字等を転写することができる。
【００４２】
図４は、本発明の一実施形態における第４の押印装置３００の断面図である。
【００４３】
第４の押印装置３００は、前部３１０と、前部３１０が挿入され、それを内部で摺動させることができる後部３２０と、前部３１０が後部３２０に押し込まれた力を蓄える第１および第２弾性部３３０、３３１と、前部３１０とつながっている軸部３４０とを備えている。
【００４４】
前部３１０は、円筒状の、第１前部３１１と第２前部３１２とを有し、第２前部３１２の最も大きい部分の外径は、第１前部３１１の最も大きい部分の外径より大きい。第２前部３１２は、その中心部に長手方向に延びる円筒状の穴３１３を持っている。ここで長手方向とは、前部３１０が摺動する方向である。穴３１３の底面には、軸部３４０が固定されている。ここで、軸部３４０が接続されていない場合の穴３１３の底面の面積は、軸部３４０が穴３１３の底面に接続されている場合の接続部分の面積より大きい。また、上記接続部分以外の穴３１３の底面は、第１弾性部３３０の一端と当接していてもよい。
【００４５】
また、第２前部３１２の穴３１３が空けられている方の端部の縁が所定の長さだけ、長手方向に削られ、第２前部３１２と後部３２０との間に空洞部として働く溝部３１４が形成される。この溝部３１４の底面と、第２弾性部３３１との一端が当接していてもよい。
【００４６】
後部３２０は、第１前部３１１が摺動することができる第１空洞部３２１と第２前部３１２が摺動することができる第２空洞部３２２とを有している。第１空洞部３２１の径は第２空洞部３２２の径より小さく、第１空洞部３２１の径は第２前部３１２の外径より小さい。このため、前部３１０が、後部３２０より、抜け出すことがない。
【００４７】
第１弾性部３３０は、空洞部として働く溝部３１４と空洞部３２２の一部に配置され、第２弾性部３３１は、空洞部として働く穴部３１３と空洞部３２２の一部に配置され、かつ第１弾性部３３０の中に配置されている。本実施形態では、第１および第２弾性部３３０、３３１として、バネが用いられている。第１弾性部３３０のコイル中心経は、第２弾性部３３１のコイル中心経より大きい。第１および第２弾性部３３０、３３１のコイル中心径が異なるため、それらのバネ定数を異ならせることができる。
【００４８】
また、本実施形態では、第１および第２弾性部３３０、３３１の他端は、後部３２０の壁部３２３と当接しているが、穴部３１３および溝部３１４の深さが異なるため、有効巻数を異ならせることができ、それらのバネ定数を異ならせることができる。
【００４９】
また、本実施形態では、第１および第２弾性部３３０、３３１の線径や横弾性係数を異ならせることができ、それらのバネ定数を異ならせることができる。
【００５０】
さらに、第４の押印装置３００は、軸部３４０が切りかけ部３４１を有し、後部３２０に、ボタン部３５１と、第１円筒部３５２と、切りかけ部３５３と、第２円筒部３５４と、弾性部３５５とを有するストッパー３５０を備えていてもよい。ストッパー３５０は、第４の押印装置３００に蓄えたエネルギーを保持することができる。
【００５１】
具体的には、図４に示されている第１状態では、弾性部３５４の反発力により、第１円筒部３５２、切りかけ部３５３、および第２円筒部は、弾性部３５４がある方とは反対の方に押されるが、切りかけ部３５３に軸部３４０がはまり込み、第１円筒部３５２、切りかけ部３５３、および第２円筒部は第１状態から動くことはない。前部３１０が後部３２０の内部に入る方向に、ユーザーが軸部３４０を移動させていくと、軸部３４１の切りかけ部３４１がストッパー３５０付近に達し、弾性部３５４の力により、第２円筒部３５４が切りかけ部３４１へ移動し、第２円筒部３５４が切りかけ部３４１にはまり込み、軸部３４０は、動けなくなる（第２状態）。ユーザーが、ボタン部３５１を押し込むと、軸部３４０がストッパー３５０の切りかけ部３５３を通過する。これにより、第１および第２弾性部の弾性エネルギーが解放され、前部３１０の壁部３１５が感圧紙に押しつけられ、壁部３１５に彫られた文字等を転写することができる。本実施形態では、壁部３１５が、印部の役割を果たしている。つまり、朱肉などが付けられた壁部３１５が紙に押しつけられたときに、文字や記号などが転写されるように、壁部３１５は彫り込まれている。
【００５２】
また、前記第２状態において、前部３１０の壁部３１５が後部３２０の内部に位置してもよい。壁部３１５が後部３２０の内部に位置する場合、ユーザーは、後部３２０の開口部３２４を感圧紙に押し当てて押印することができるため、押印するところの位置決めがしやすい。また、押印する力が一定となり、転写される文字等の濃さにむらがでにくくなる。
【００５３】
また、第４の押印装置３００では、壁部を直接文字等を彫るのではなく、文字等が転写できる印部が壁部３１５に配置されていてもよい。
【００５４】
また、本実施形態は、第１の押印装置１と同様の理由により、取手部４０を備えていてもよい。
【００５５】
また、第４の押印装置３００は、第１および第２弾性部３３０、３３１の有効巻数を同じにするために、穴部３１３および溝部３１４の深さを同じにしてもよい。
【００５６】
上述した実施形態では、前部および後部の形状ならびに後部の内部の形状は、円筒状であったが、本発明では、前部が後部の内部を摺動すれば、前部および後部の形状ならびに後部の内部の形状が円筒状以外であってもよい。例えば、本実施形態において、第１および第２前部３１１、３１２が四角柱状であり、第１および第２空洞部３２１、３２２が四角柱状であってもよい。また、第１前部３１１が円筒状であり、第２前部３１２が四角柱状であり、第１空洞部３２１が円筒状であり、第２空洞部３２２が四角柱状であってもよい。また、第１空洞部３２１が円筒状であり、第１前部３１１が第１空洞部３２１に接する、例えば六角柱状のような多角柱状であってもよいし、第２空洞部３２２が円筒状であり、第２前部３１２が第２空洞部３２２に接する、例えば六角柱状のような多角柱状であってもよい。
【００５７】
また、上述した実施形態では、第１〜第４の押印装置が１乃至２の弾性部を備えていたが、本発明の押印装置は、３以上の弾性部を備えていてもよく、そのような押印装置であっても、比較的力が弱いユーザーが、複数枚の感圧紙に印影を転写することができるという本発明の目的を達成することができる。
【００５８】
また、本発明で使用可能な感圧紙は、上述したものに限られず、押圧を感じて、紙が変色等の変化するものであればよい。例えば、下紙の表面に発色剤が塗布され、上紙の裏面に顕色剤が閉じこめられたカプセルが塗布されていてもよい。また、感圧紙は、３枚以上が重ねられていてもよい。例えば、感圧紙が３毎綴りである場合、上紙の裏面および中紙の裏面に発色剤が閉じこめられたカプセルが塗布され、中紙の表面および下紙の表面に顕色剤が塗布されていてもよい。
【符号の説明】
【００５９】
１        第１の押印装置
１０        前部
１１        開口部
１２        壁部
１３        突起部
１４        印部
２０        後部
２１        開口部
２２        壁部
２３        突起部
２４        突起部
３０        弾性部
４０        取手部
１００        第２の押印装置
１１０        前部
１１１        開口部
１１２        壁部
１１３        突起部
１１５        空洞部
１２０        後部
１２１        開口部
１２２        壁部
１２３        突起部
１２５        空洞部
１３０        第１弾性部
１３１        第２弾性部
【図１】
2013215907.tif 000003
【図２】
2013215907.tif 000004
【図３】
2013215907.tif 000005
【図４】
2013215907.tif 000006